(57)【要約】【課題】移行期間のレーザダイオードの出力を安定に行うことができる光ディスク装置の制御方法を提供する。【解決手段】第１の制御信号を出力する第１電圧出力回路１４と、第２の制御信号を出力する第２電圧出力回路１６とを含み、データの再生時において第１の制御信号に基づいて発光素子の出力を制御し、データの消去又は記録時において第２の制御信号に基づいて発光素子の出力を制御する光ディスク装置の制御方法であって、データの再生時において、第１電圧出力回路１４を定電力制御すると共に、第２電圧出力回路１６から出力される制御信号がデータの消去又は記録時における値とほぼ等しい値になるように定電流制御する工程と、データの消去又は記録時において、第１電圧出力回路１４を定電流制御すると共に、第２電圧出力回路１６を定電力制御する工程とを含む。【選択図】        図１
2004318996.tif 000002
【特許請求の範囲】
【請求項１】
第１の制御信号を出力する第１の制御信号出力手段と、
第２の制御信号を出力する第２の制御信号出力手段と、を含み、
データの再生時において前記第１の制御信号に基づいて発光素子の出力を制御し、データの消去又は記録時において前記第２の制御信号に基づいて発光素子の出力を制御する光ディスク装置であって、
データの再生時において、前記第１の制御信号出力手段を定電力制御する第１の定電力制御手段と、
データの消去又は記録時において、前記第１の制御信号出力手段を定電流制御する第１の定電流制御手段と、
データの再生時において、前記第２の制御信号出力手段を定電流制御する第２の定電流制御手段と、
データの消去又は記録時において、前記第２の制御信号出力手段を定電力制御する第２の定電力制御手段と、
前記第１の制御信号出力手段の制御を前記第１の定電力制御手段から前記第１の定電流制御手段に切り替え、前記第２の制御信号出力手段の制御を前記第２の定電流制御手段から前記第２の定電力制御手段に切り替える切替手段と、
を含み、
前記切替手段によって前記第２の制御信号出力手段の制御が前記第２の定電流制御手段から前記第２の定電力制御手段へと切り替えられる前に、前記第２の制御信号出力手段から出力される制御信号がデータの消去又は記録時における値と略等しい値になるように前記第２の制御信号出力手段を定電流制御することを特徴とする光ディスク装置。
【請求項２】
請求項１に記載の光ディスク装置において、
前記光学素子を駆動するドライバと、
データの消去又は記録時において前記ドライバと前記第１の制御信号出力手段との電気的接続を切るスイッチと、
を有することを特徴とする光ディスク装置。
【請求項３】
第１の制御信号を出力する第１の制御信号出力手段と、第２の制御信号を出力する第２の制御信号出力手段とを含み、データの再生時において前記第１の制御信号に基づいて発光素子の出力を制御し、データの消去又は記録時において前記第２の制御信号に基づいて発光素子の出力を制御する光ディスク装置の制御方法であって、
データの再生時において、前記第１の制御信号出力手段を定電力制御すると共に、前記第２の制御信号出力手段から出力される制御信号がデータの消去又は記録時における値と略等しい値になるように定電流制御する工程と、
データの消去又は記録時において、前記第１の制御信号出力手段を定電流制御すると共に、前記第２の制御信号出力手段を定電力制御する工程と、
を含むことを特徴とする光ディスク装置の制御方法。
【請求項４】
請求項３に記載の光ディスク装置の制御方法において、
前記光ディスク装置は、前記光学素子を駆動するドライバを有し、前記ドライバと前記第１の制御信号出力手段とはスイッチを介して接続されており、
データの再生時からデータの消去又は記録時に移行する際に、前記スイッチを用いて前記ドライバと前記第１の制御信号出力手段との電気的な接続を切る工程を有することを特徴とする光ディスク装置の制御方法。
【発明の詳細な説明】
【０００１】
【発明の属する技術分野】
本発明は、サーボ制御を安定に行うことができる光ディスク装置及び光ディスク装置の制御方法に関する。
【０００２】
【従来の技術】
従来より、データの記録が可能なＣＤ−Ｒやデータの記録及び消去が可能なＣＤ−ＲＷ等の光ディスク装置が広く利用されている。
【０００３】
このような光ディスク装置におけるデータの記録は、記録材料である有機色素材料にレーザ光を照射し、記録マーク（ピット）を焼き付けて行われる。また、データの再生は、ディスクの記録面に記録された記録マークにレーザ光を照射し、その反射を検出することによって行われる。このとき、レーザ光はレンズを通してディスクの記録面に照射され、記録又は再生に最適な状態になるようにレンズ位置を制御するフォーカスサーボ制御を行う必要がある。
【０００４】
さらに、データの再生、消去及び記録をディスク上の正確な位置で行うため、ディスク上に予め刻まれた案内溝（Ｇｒｏｏｖｅ）からのレーザ光の反射を利用して、この案内溝を正確にトレースするようにレンズ位置を制御するトラッキングサーボ制御を行う必要もある。
【０００５】
また、データの再生、消去及び記録に対して最適なレーザ光のパワーを検出して、定電流制御や定電力制御により最適パワーを保って再生、消去及び記録の各々の処理を行う必要がある。
【０００６】
従来の光ディスク装置は、図１に示すように、レーザダイオード（ＬＤ）１０、レーザダイオードドライバ（ＬＤドライバ）１２、第１電圧出力回路１４、第２電圧出力回路１６、増幅器１８、減衰回路（ＡＴＴ回路）２０、定電力制御回路（ＡＰＣ回路）２２，３２、定電流制御回路（ＡＣＣ回路）２４，３４、複数のデジタル／アナログ変換回路（ＤＡ回路）２６，２８，３６，３８、複数のサンプルホールド回路（Ｓ／Ｈ回路）３０，４０を含んで構成される。また、これらの回路を制御し、必要な制御値を記憶する処理部４４及び各スイッチ等を切り替える信号を制御するＥＮＤＥＣ４２も含まれる。さらに、レーザダイオード１０の出力電力をフォトダイオード等の光電変換素子によって検出し、フィードバック信号を出力するＦＭＤ回路４８も備えている。
【０００７】
第１電圧出力回路１４は、スイッチＳＷ１を介して、ＡＰＣ回路２２又はＡＣＣ回路２４に接続される。ＡＰＣ回路２２はＤＡ回路２６及びＳ／Ｈ回路３０と接続され、ＡＣＣ回路２４はＤＡ回路２８と接続される。ＤＡ回路２６，２８は、処理部４４に接続される。また、Ｓ／Ｈ回路３０は、ＦＭＤ回路４８に接続される。
【０００８】
同様に、第２電圧出力回路１６は、スイッチＳＷ２を介して、ＡＰＣ回路３２又はＡＣＣ回路３４に接続される。ＡＰＣ回路３２は、ＤＡ回路３６及びＳ／Ｈ回路４０と接続され、ＡＣＣ回路３４はＤＡ回路３８に接続される。さらに、ＤＡ回路３６，３８は、処理部４４に接続される。また、Ｓ／Ｈ回路４０は、ＦＭＤ回路４８に接続される。
【０００９】
増幅器１８はＡＴＴ回路２０に接続され、ＡＴＴ回路２０は処理部４４に接続される。ＡＴＴ回路２０には減衰器（アッテネータ）が含まれており、第２電圧出力回路１６からの出力電圧を減衰した後に増幅器１８に送出する。
【００１０】
第１電圧出力回路１４、第２電圧出力回路１６及び増幅器１８は、図２に示すように、スイッチＳＷ３〜ＳＷ５を介して、ＬＤドライバ１２に含まれる第１電流源５０、第２電流源５２及び第３電流源５４に接続されている。第１電圧出力回路１４、第２電圧出力回路１６又は増幅器１８からの制御電圧を受けて、ＬＤドライバ１２の第１電流源５０、第２電流源５２及び第３電流源５４はレーザダイオード１０へ駆動電流を出力する。データの再生時には第１電流源５０からの電流、データの消去時には第１電流源５０及び第２電流源５２からの合成電流及びデータの記録時には第１電流源５０及び第３電流源５４からの合成電流によってレーザダイオード１０が発光させられてデータの再生、消去又は記録がそれぞれ行われる。
【００１１】
図５に、ディスク上のデータの再生、消去及び記録を行う際のタイミングチャートを示す。光ディスク装置は、ディスクに刻まれているＡＴＩＰ基準信号（ＡＴＩＰＳＹＮＣ）を読み出し、このＡＴＩＰ基準信号の立ち上がりに同期させて各フレームの処理を開始する。このタイミングチャートの例では、第１フレームにおいてディスクのデータの再生が行われ、その後第２フレームからディスクのデータの消去及び記録の処理に移行する。
【００１２】
第１フレームでは、切替タイミング回路４６から出力されるＥＦＭＧ信号が“Ｌレベル”とされ、このＥＦＭＧ信号に対応してスイッチＳＷ１がａ１側に接続され、スイッチＳＷ２がｂ２側に接続される。その結果、第１電圧出力回路１４はＡＰＣ回路２２によって制御され、第２電圧出力回路１６はＡＣＣ回路３４によって制御される。ＥＮＤＥＣ４２からはＬＤＯＮ信号が常時出力されており、スイッチＳＷ３が閉じられて第１電圧出力回路１４とＬＤドライバ１２が接続される。
【００１３】
データの再生を行うために、処理部４４からＤＡ回路２６にＲＥＤＡ信号が出力される。ＤＡ回路２６は、処理部４４からのＲＥＤＡ信号を受けて、ＲＥＤＡ信号をデジタル／アナログ変換してＡＰＣ回路２２に出力する。ＡＰＣ回路２２は、ＤＡ回路２６からアナログ信号に変換されたＲＥＤＡ信号を受けて、第１電圧出力回路１４からＬＤドライバ１２に制御電圧値ＶＲＤＣ＿Ｒを出力させる。ＬＤドライバ１２は、制御電圧値ＶＲＤＣ＿Ｒを受けて、第１電流源５０からレーザダイオード１０へ駆動電流を出力し、レーザダイオード１０を発光させる。このレーザダイオード１０の出力によってディスク上のピット又はランドが読み取られデータが再生される。
【００１４】
ここで、レーザダイオード１０の出力電力は、ＦＭＤ回路４８によって読み取られ、フィードバック信号としてＳ／Ｈ回路３０へ帰還される。ディスク上からデータを読み取っている間、ＥＮＤＥＣ４２はＲＡＰＣ信号を“Ｈレベル”としてＳ／Ｈ回路３０へ出力し、Ｓ／Ｈ回路３０にフィードバック信号をサンプルホールドさせる。このサンプリング値はＡＰＣ回路２２へ出力され、このサンプリング値に基づいてＡＰＣ回路２２は第１電圧出力回路１４を制御し、データ再生中にレーザダイオード１０のパワーがＲＥＤＡ信号によって定められる一定のパワーとなるように第１電圧出力回路１４からの制御電圧を調整する。このＡＰＣ制御されたレーザダイオード１０の出力電力を電力値ＦＭＤ＿Ｒとする。
【００１５】
一方、データの再生を行うフレームからデータの消去又は記録を行うフレームに移行する前に、処理部４４はＷＤＡＣ２信号をＤＡ回路３８に出力して、第２電圧出力回路１６から出力される制御電圧を先行的に昇圧する。これは、第２電圧出力回路１６がＡＣＣ回路３４による定電流制御からＡＰＣ回路３２による定電力制御へと切り替えられた際に、第２電圧出力回路１６から出力される制御電圧の追従の遅延を抑制するためである。
【００１６】
ＷＤＡＣ２信号の設定値は、図６に示すように、第２電圧出力回路１６の制御電圧及びＦＭＤ回路４８で読み取ったレーザダイオード１０の出力電力との関係から予め求めておくことができる。
【００１７】
まず、ＥＦＭＧ信号を“Ｈレベル”に設定して第２電圧出力回路１６とＡＰＣ回路３２とを接続し、処理部４４からＤＡ回路３６に設定値Ｙ１を出力する。ＡＰＣ回路３２は、ＤＡ回路３６からの設定値Ｙ１及びＦＭＤ回路４８からのフィードバック信号を受けて、第２電圧出力回路１６に設定値Ｙ１で規定される一定の制御電圧Ｖ１を出力させる。ＬＤドライバ１２は、制御電圧Ｖ１を受けて、制御電圧Ｖ１に応じた第２電流源５２から駆動電流をレーザダイオード１０へ供給する。レーザダイオード１０は、ＡＣＣ回路２４で制御された第１電圧出力回路１４からの制御電圧値ＶＲＤＣ＿Ｗを受けた第１電流源５０からの駆動電流と、制御電圧Ｖ１を受けた第２電流源５２からの駆動電流との合成電流によって発光する。このとき、ＦＭＤ回路４８によって読み取られたレーザダイオード１０の出力を電力Ｗ１とする。ＤＡ回路３６の設定値Ｙ１、第２電圧出力回路１６からの制御電圧値Ｖ１及びレーザダイオード１０の出力電力Ｗ１との関係は図６のＡ点で示される。
【００１８】
同様に、処理部４４からＤＡ回路３６に設定値Ｙ２を出力し、そのときの第２電圧出力回路１６から制御電圧値Ｖ２及びレーザダイオード１０の出力電力Ｗ２を求める（図６のＢ点）。例えば、相変化を利用したディスクを対象とする場合には、１０ｍＷ〜２０ｍＷの範囲から選択することが好ましい。また、このときのレーザダイオード１０の温度Ｔ１を温度測定回路６０によって測定する。
【００１９】
次に、ＥＦＭＧ信号を“Ｌレベル”に設定して第２電圧出力回路１６とＡＣＣ回路３４とを接続し、処理部４４からＤＡ回路３８に設定値Ｙ３を出力する。ＡＣＣ回路３４は、ＤＡ回路３８からの設定値Ｙ３の出力を受けて、第２電圧出力回路１６からの制御電圧が設定値Ｙ３で規定される一定値となるように制御を行う。このとき、第２電圧出力回路１６から出力される制御電圧が上記電圧値Ｖ１と等しくなるように設定値Ｙ３を調整し、そのときの設定値Ｙ３を取得する。
【００２０】
同様に、ＡＣＣ回路３４を用いて、第２電圧出力回路１６から出力される制御電圧が上記電圧値Ｖ２と等しくなる設定値Ｙ４を取得する。また、このときのレーザダイオード１０の温度Ｔ２を温度測定回路６０によって取得する。
【００２１】
データの消去に適したレーザダイオード１０の出力が電力ＦＭＤ＿Ｗであるとすると、ＤＡ回路３６に設定する設定値ＷＤＡＣ１は関係式（１）によって算出することができる。この関係式（１）は、レーザダイオード１０の出力を上記で求めた電力Ｗ１及びＷ２に基づいて直線近似し、出力電力ＷＥが出力される設定値ＷＤＡＣ１を算出するものである。
【００２２】
【数１】
2004318996.tif 000003
【００２３】
また、データの再生のフレームからデータの消去又は記録を行うフレームに移行する前に、ＤＡ回路３８に設定する設定値ＷＤＡＣ２は関係式（２）を用いて算出することができる。
【００２４】
【数２】
2004318996.tif 000004
【００２５】
以上のように、設定値ＷＤＡＣ２の値を定めることができる。なお、ＡＣＣ回路３４による定電流制御では、実際のレーザダイオード１０の出力電力をフィードバックに利用していないため、レーザダイオード１０の温度の影響により設定値ＷＤＡＣ２とレーザダイオード１０の出力電力との関係が変動し易い。従って、レーザダイオード１０の測定温度Ｔ２が測定温度Ｔ１に対して所定の温度範囲内にない場合には、上記処理をやり直し、関係式（１）及び（２）を再度求めて設定値ＷＤＡＣ１及びＷＤＡＣ２を算出する。
【００２６】
次に、ＡＴＩＰＳＹＮＣに同期して、データの消去及び記録を行う第２フレームに移行する。切替タイミング回路４６は、ＡＴＩＰＳＹＮＣの立ち上がりに応じて、ＥＦＭＧ信号を“Ｈレベル”に立ち上げ、スイッチＳＷ１をｂ１側に、スイッチＳＷ２をａ２側に切り替える。
【００２７】
処理部４４は、ＤＡ回路２８にＷＲＤＡ信号を出力する。ＤＡ回路２８は、ＷＲＤＡ信号をデジタル／アナログ変換してＡＣＣ回路２４に出力する。ＡＣＣ回路２４は、アナログ変換されたＷＲＤＡ信号を受けて、このＷＲＤＡ信号で定められる制御電圧を第１電圧出力回路１４から出力させ、ＬＤドライバ１２の第１電流源５０から出力される駆動電流がＷＲＤＡ信号によって定められる一定の電流値に維持されるように定電流制御を行う。このとき、ＷＲＤＡ信号で定められる駆動電流は、データの記録中における基底パワー（ボトムパワー）を決定するものであり、レーザダイオード１０が光らない十分小さい電流値とされる。このとき、第１電圧出力回路１４が出力する制御電圧を電圧値ＶＲＤＣ＿Ｗ（記録時のＶＲＤＣ）という。
【００２８】
一方、処理部４４はＤＡ回路３６に対してＷＤＡＣ１信号を出力する。ＤＡ回路３６は、ＷＤＡＣ１信号をデジタル／アナログ変換してＡＰＣ回路３２に出力する。ＡＰＣ回路３２は、アナログ変換されたＷＤＡＣ１信号を受けて、レーザダイオード１０からの出力電力がディスク上のデータの消去を行うために適した電力となるように第２電圧出力回路１６から出力される制御電圧を制御する。レーザダイオード１０の出力パワーはＦＭＤ回路４８によって読み取られ、フィードバック信号としてＳ／Ｈ回路４０へ出力される。ＥＮＤＥＣ４２は、データの消去のタイミングに同期してＷＡＰＣ信号を出力し、ＦＭＤ回路４８からのフィードバック信号をＳ／Ｈ回路４０にサンプルホールドさせる。ＡＰＣ回路３２はこのサンプリング値を受けて、消去時のレーザダイオード１０のパワーがＷＤＡＣ１信号によって定められる一定値に維持されるように第２電圧出力回路１６から出力される制御電圧をフィードバック制御する。
【００２９】
同時に、ＥＮＤＥＣ４２は、データの消去時にＲＡＰＣ信号を出力することによって、ＦＭＤ回路４８からのフィードバック信号をＳ／Ｈ回路３０にサンプルホールドさせる。ＡＰＣ回路２２は、このサンプリング値を受けて、光ディスク装置がデータの再生処理に切り替えられた際にレーザダイオード１０の出力パワーが再生に適した値となるように調整を行う。
【００３０】
また、ＥＮＤＥＣ４２は、ディスク上のデータを消去するタイミングでＰＥＯ信号を出力する。これによって、スイッチＳＷ４が閉じられ、第２電圧出力回路１６とＬＤドライバ１２とが接続される。ＡＣＣ回路２４によって制御されたＬＤドライバ１２の第１電流源５０からの電流と、ＡＰＣ回路３２によって制御されたＬＤドライバ１２の第２電流源５２からの電流との合成電流がレーザダイオード１０の駆動電流として出力され、ディスク上のデータが消去される。このときの第２電圧出力回路１６の制御電圧を電圧値ＶＷＤＣ＿Ｗ１（記録時のＶＷＤＣ）とし、レーザダイオード１０からの出力電力を電力値ＦＭＤ＿Ｗとする。
【００３１】
また、ＡＴＴ回路２０には第２電圧出力回路１６から電圧値ＶＷＤＣ＿Ｗが設定され、電圧値ＶＷＤＣ＿Ｗ１を減衰率ＡＴＴだけ減衰させた電圧値が増幅器１８へ出力される。増幅器１８は、ＡＴＴ回路２０からの出力を受けて、レーザダイオード１０の出力がデータの消去時の電力値ＦＭＤ＿Ｗのε倍となるように増幅を行う。εの値は、個々のディスクに対して固有の値としてディスクのウォブルのＡＴＩＰに記録されており、ＡＴＩＰから読み出されて設定される。
【００３２】
ディスク上にデータを記録する際には、ＥＮＤＥＣ４２は、ディスク上にデータを記録するタイミングでＰＷＯ信号を出力し、スイッチＳＷ５を閉じることにより増幅器１８とＬＤドライバ１２とを接続する。これによって、ＡＣＣ回路２４によって制御されたＬＤドライバ１２の第１電流源５０からの電流と、増幅器１８の制御電圧によって制御された第３電流源５４からの電流との合成電流がレーザダイオード１０に駆動電流として供給され、ディクス上にデータが記録される。
【００３３】
【発明が解決しようとする課題】
上記従来技術では、データの再生を行うフレームからデータの消去又は記録を行うフレームに移行する前に、第２電圧出力回路１６に接続されたＡＣＣ回路３４に対してＷＤＡＣ２信号を出力してデータの消去又は記録に適したレーザ出力が得られるようにパワーの先出し制御を行った後に、第２電圧出力回路１６の制御がＡＣＣ回路３４による定電流制御からＡＰＣ回路３２による定電力制御に切り替えられる。
【００３４】
しかしながら、データの再生を行うフレームからデータの消去又は記録を行うフレームに移行する際には、第１電圧出力回路１４もＡＰＣ回路２２による定電力制御からＡＣＣ回路２４による定電流制御に切り替えられるため、第１電圧出力回路１４からの制御電圧が電圧値ＶＲＤＣ＿Ｒから電圧値ＶＲＤＣ＿Ｗに安定するまでに時間を要する。そのため、データの消去又は記録を行うフレームの開始初期において、レーザダイオード１０の基底パワーが安定せず、図５の２点鎖線に示すようにディスク上のデータを消去する際のレーザ出力が徐々に安定状態に向かって変化する。また、図５の１点鎖線で示すようにディスク上にデータを記録する際のレーザ出力が変動し、切り替え初期に余分なパワーが出力される問題が生ずる。
【００３５】
このレーザダイオード１０からの異常な出力によって、ディスク上のデータの消去及び記録の品質が低下する。同時に、光ディスク装置のサーボ制御を行うための制御信号の取得を困難にし、サーボ制御の破綻を招く原因となる。さらに、レーザ出力が不必要に高くなるためにレーザダイオード１０の特性を劣化させ、寿命を短くさせる問題も引き起こす。
【００３６】
本発明は、上記従来技術の問題を鑑み、少なくとも上記課題の１つを解決すべく、移行期間のレーザダイオードの出力を安定に行うことができる光ディスク装置及び光ディスク装置の制御方法を提供することを目的とする。
【００３７】
【課題を解決するための手段】
上記課題を解決できる本発明は、第１の制御信号を出力する第１の制御信号出力手段と、第２の制御信号を出力する第２の制御信号出力手段と、を含み、データの再生時において前記第１の制御信号に基づいて発光素子の出力を制御し、データの消去又は記録時において前記第２の制御信号に基づいて発光素子の出力を制御する光ディスク装置であって、データの再生時において、前記第１の制御信号出力手段を定電力制御する第１の定電力制御手段と、データの消去又は記録時において、前記第１の制御信号出力手段を定電流制御する第１の定電流制御手段と、データの再生時において、前記第２の制御信号出力手段を定電流制御する第２の定電流制御手段と、データの消去又は記録時において、前記第２の制御信号出力手段を定電力制御する第２の定電力制御手段と、前記第１の制御信号出力手段の制御を前記第１の定電力制御手段から前記第１の定電流制御手段に切り替え、前記第２の制御信号出力手段の制御を前記第２の定電流制御手段から前記第２の定電力制御手段に切り替える切替手段と、を含み、前記切替手段によって前記第２の制御信号出力手段の制御が前記第２の定電流制御手段から前記第２の定電力制御手段へと切り替えられる前に、前記第２の制御信号出力手段から出力される制御信号がデータの消去又は記録時における値と略等しい値になるように前記第２の制御信号出力手段を定電流制御することを特徴とする。
【００３８】
さらに、上記本発明の光ディスク装置において、前記光学素子を駆動するドライバと、データの消去又は記録時において前記ドライバと前記第１の制御信号出力手段との電気的接続を切るスイッチと、を有することが好適である。
【００３９】
また、上記課題を解決できる本発明の別の形態は、第１の制御信号を出力する第１の制御信号出力手段と、第２の制御信号を出力する第２の制御信号出力手段とを含み、データの再生時において前記第１の制御信号に基づいて発光素子の出力を制御し、データの消去又は記録時において前記第２の制御信号に基づいて発光素子の出力を制御する光ディスク装置の制御方法であって、データの再生時において、前記第１の制御信号出力手段を定電力制御すると共に、前記第２の制御信号出力手段から出力される制御信号がデータの消去又は記録時における値と略等しい値になるように定電流制御する工程と、データの消去又は記録時において、前記第１の制御信号出力手段を定電流制御すると共に、前記第２の制御信号出力手段を定電力制御する工程と、を含むことを特徴とする。
【００４０】
上記本発明の光ディスク装置の制御方法において、前記光ディスク装置は、前記光学素子を駆動するドライバを有し、前記ドライバと前記第１の制御信号出力手段とはスイッチを介して接続されており、データの再生時からデータの消去又は記録時に移行する際に、前記スイッチを用いて前記ドライバと前記第１の制御信号出力手段との電気的な接続を切る工程を有することが好適である。
【００４１】
【発明の実施の形態】
以下、本発明の実施の形態について図面を参照して説明する。本発明の実施の形態における光ディスク装置は、図１及び図２に示した従来の光ディスク装置と同様の構成を含んでいる。
【００４２】
図３に、本実施の形態におけるディスク上のデータの再生、消去及び記録時のタイミングチャートを示す。このタイミングチャートの例では、第１フレームにおいてディスクのデータの再生が行われ、その後第２フレームにおいてデータの消去及び記録に移行する。
【００４３】
第１フレームでは、切替タイミング回路４６から出力されるＥＦＭＧ信号が“Ｌレベル”にあり、スイッチＳＷ１がａ１側に接続され、スイッチＳＷ２はｂ２側に接続される。従って、第１電圧出力回路１４はＡＰＣ回路２２によって制御され、第２電圧出力回路１６はＡＣＣ回路３４によって制御されることとなる。ＥＮＤＥＣ４２からはＬＤＯＮ信号が常時出力され、スイッチＳＷ３が閉じられ、第１電圧出力回路１４とＬＤドライバ１２が接続される。
【００４４】
第１フレームのデータの再生において、レーザダイオード１０の駆動電流は従来技術と同様に制御される。すなわち、処理部４４からＤＡ回路２６にＲＥＤＡ信号が設定される。一方、ＦＭＤ回路４８によってレーザダイオード１０の出力パワーが読み出され、そのサンプリング値がＡＰＣ回路２２にフィードバックされることによってレーザダイオード１０の出力パワーがＲＥＤＡ信号によって規定される一定値に維持される。このとき、第１電圧出力回路１４から出力される制御電圧は電圧値ＶＲＤＣ＿Ｒである。
【００４５】
例えば、相変化を利用したディスクを対象とした場合、データの再生にはリードパワーＰＲＤ：１ｍＷが得られるように制御電圧の電圧値ＶＲＤＣ＿Ｒが調整される。
【００４６】
また、データを再生する間、ＥＮＤＥＣ４２はＰＥＯ信号及びＰＷＯ信号を“Ｌレベル”に維持して出力する。これによってＳＷ４及びＳＷ５は開放され、第２電圧出力回路１６及び増幅器１８がＬＤドライバ１２から切り離される。
【００４７】
本実施の形態の光ディスク装置では、データの再生を行うフレームからデータの消去及び記録を行うフレームに移行する際に、ＬＤドライバ１２から第１電圧出力回路１４を切り離すことが特徴的である。
【００４８】
データの再生を行うフレームの終了前に、処理部４４はＤＡ回路３８にＷＤＡＣ３信号を出力して、第２電圧出力回路１６から出力される制御電圧を先行的に昇圧する。これにより、データの再生時におけるＡＣＣ回路３４による定電流制御からデータの消去時及び記録時におけるＡＰＣ回路３２による定電力制御へと移行する際に第２電圧出力回路１６から出力される制御電圧の追従をスムーズに行うためである。
【００４９】
ＤＡ回路３８は、ＷＤＡＣ３信号を受けて、ＷＤＡＣ３信号をデジタル／アナログ変換してＡＣＣ回路３４へ出力する。ＡＣＣ回路３４は、アナログ変換されたＷＤＡＣ３信号を受けて、第２電圧出力回路１６からＷＤＡＣ３信号によって規定される制御電圧値ＶＷＤＣ＿Ｗ２が出力されるように制御を行う。制御電圧値ＶＷＤＣ＿Ｗ２は、レーザダイオード１０から電力値ＦＭＤ＿Ｗが出力されるときの制御電圧値である。
【００５０】
ＷＤＡＣ３信号、出力比ε及び減衰率ＡＴＴの設定値の算出方法については後に詳細に説明する。
【００５１】
この時点では、ＰＥＯ信号及びＰＷＯ信号は“Ｌレベル”に維持されているので、スイッチＳＷ４及びＳＷ５は開放されており、第２電圧出力回路１６及び増幅器１８からの制御電圧はＬＤドライバ１２には伝達されない。
【００５２】
ディスクからのデータの再生が終了すると、ＡＴＩＰＳＹＮＣの立ち上がりに同期してデータの消去及び記録を行う第２フレームに移行する。切替タイミング回路４６は、ＡＴＩＰＳＹＮＣの立ち上がりに応じてＥＦＭＧ信号を“Ｈレベル”に立ち上げ、スイッチＳＷ１をｂ１側に接続し、スイッチＳＷ２をａ２側に接続する。これによって、第１電圧出力回路１４はＡＣＣ回路２４によって定電流制御され、第２電圧出力回路１６はＡＰＣ回路３２によって定電力制御されることとなる。
【００５３】
また、ＥＮＤＥＣ４２はスイッチＳＷ３に対するＬＤＯＮ信号を“Ｌレベル”にして、第１電圧出力回路１４とＬＤドライバ１２とを切り離す。
【００５４】
処理部４４は、ＤＡ回路２８にＷＲＤＡ信号を出力する。ＷＲＤＡ信号はアナログ信号に変換されてＡＣＣ回路２４に出力される。ＡＣＣ回路２４は、ＷＲＤＡ信号を受けて第１電圧出力回路１４に対して定電流制御を行う。但し、ＬＤＯＮ信号は“Ｌレベル”とされており、スイッチＳＷ３は開かれているため、第１電圧出力回路１４からの制御電圧はＬＤドライバ１２へ伝達されず、第１電流源５０からレーザダイオード１０へは駆動電流が出力されない。
【００５５】
処理部４４は、ＤＡ回路３６に対してＷＤＡＣ４信号を出力する。ＤＡ回路３６は、ＷＤＡＣ４信号をデジタル／アナログ変換してＡＰＣ回路３２へ出力する。ＡＰＣ回路３２は、アナログ変換されたＷＤＡＣ４信号を受けて、レーザダイオード１０からの出力電力がディスク上のデータの消去に適した電力ＦＭＤ＿Ｗとなるように第２電圧出力回路１６の出力を制御する。
【００５６】
データの消去を行うときには、ＥＮＤＥＣ４２によってデータを消去するタイミングに同期させてＰＥＯ信号を“Ｈレベル”に設定し、スイッチＳＷ４を閉じることで第２電圧出力回路１６からの制御電圧値をＬＤドライバ１２に入力する。ＬＤドライバ１２では、第２電圧出力回路１６からの制御電圧値を受けて、第２電流源５２からレーザダイオード１０へ駆動電流が供給される。レーザダイオード１０はこの駆動電流により発光させられ、ディスク上のデータの消去が行われる。このとき、第１電圧出力回路１４とＬＤドライバ１２とは切り離されているので、レーザダイオード１０は第２電流源５２からの駆動電流のみで発光させられる。
【００５７】
レーザダイオード１０の出力パワーはＦＭＤ回路４８によって読み取られ、フィードバック信号としてＳ／Ｈ回路４０へ出力される。ＥＮＤＥＣ４２は、データ消去のタイミングに同期してＷＡＰＣ信号を出力し、フィードバック信号をＳ／Ｈ回路４０にサンプルホールドさせる。ＡＰＣ回路３２は、このサンプリング値を受けて、レーザダイオード１０の出力が電力値ＦＭＤ＿Ｗに維持されるように第２電圧出力回路１６から出力される制御電圧を制御する。このときの制御電圧がＶＷＤＣ＿Ｗ２である。
【００５８】
また、ディスク上にデータを記録する際には、ＥＮＤＥＣ４２によってデータを消去するタイミングに同期させて、ＰＷＯ信号を“Ｈレベル”に設定し、スイッチＳＷ５を閉じる。
【００５９】
ＡＴＴ回路２０は第２電圧出力回路１６からの制御電圧値ＶＷＤＣ＿Ｗ２を受けて、この制御信号を減衰率ＡＴＴだけ減衰させて増幅器１８へ出力する。増幅器１８は、ＡＴＴ回路２０からの出力を増幅してＬＤドライバ１２へ出力する。ＬＤドライバ１２の第３電流源５４は、増幅器１８からの制御電圧を受けて、その制御電圧によって規定される駆動電流をレーザダイオード１０に供給する。その結果、第３電流源５４からの駆動電流によってレーザダイオード１０が発光し、そのレーザダイオード１０の出力によってディクス上にデータが記録される。
【００６０】
このとき、レーザダイオード１０の出力はデータの消去時の電力値ＦＭＤ＿Ｗのε倍に制御される。すなわち、データの消去時に比べてほぼ出力比ε倍の駆動電流がレーザダイオード１０に供給されることとなる。出力比εは、個々のディスクに対して固有の値としてディスクのウォブルのＡＴＩＰに記録されており、ＡＴＩＰから読み出されて設定される。
【００６１】
例えば、相変化を利用したディスクでは、イレースパワーＰＥＲ：５ｍＷ及びライトパワーＰＷＲ：１１ｍＷが得られるように電圧値ＶＷＤＣ＿Ｗ２が調整される。このときの出力比εは、イレースパワーＰＥＲとライトパワーＰＷＲとの比とほぼ等しい約２．２と算出される。
【００６２】
データの再生のフレームが終了する前にＷＤＡＣ３信号をＤＡ回路３８に設定することで、第２電圧出力回路１６の制御電圧はデータの消去時の電圧値と等しい値に予め昇圧しておくことができる。また、データの消去及び記録を行うフレームにおいては、スイッチＳＷ３を開くことによって、第１電圧出力回路１４とＬＤドライバ１２との接続が遮断され、第１電圧出力回路１４の制御電圧の変動に伴うレーザダイオード１０の出力パワーの変動を最小限に抑制することができる。
【００６３】
なお、現在広く用いられている光ディスク装置では、ＬＤドライバ１２は通常ピックアップ内蔵型であり、第１電圧出力回路１４からの制御電圧によって消去時及び記録時のベースパワーを制御していることが多く、データの消去時及び記録時にスイッチＳＷ３を開放することができないことがある。このような場合、第１電圧出力回路１４とＬＤドライバ１２との間に新たなスイッチを設けて、消去時及び記録時にそのスイッチを開放させても良い。
【００６４】
＜ＷＤＡＣ３信号の設定値の算出方法＞
ＷＤＡＣ３信号の設定値は、第２電圧出力回路１６の制御電圧及びＦＭＤ回路４８で読み取ったレーザダイオード１０の出力電力との関係から求めることができる。以下では、ＬＤＯＮ信号は“Ｌレベル”とし、スイッチＳＷ３が開かれた状態、すなわち、第１電圧出力回路１４とＬＤドライバ１２が切り離され、第１電流源５０からレーザダイオード１０へは駆動電流が出力されない状態で処理を行う。
【００６５】
まず、ＥＦＭＧ信号を“Ｈレベル”に設定して、第１電圧出力回路１４とＡＣＣ回路２４とを接続し、第２電圧出力回路１６とＡＰＣ回路３２とを接続する。処理部４４は、ＤＡ回路２８にＷＲＤＡ４信号を設定する。ＤＡ回路２８によってアナログ変換されたＷＲＤＡ４信号を受けたＡＰＣ回路３２は、レーザダイオード１０の出力パワーがデータの消去に適した電力値ＦＭＤ＿Ｗとなるように第２電圧出力回路１６の制御電圧を定電力制御する。このとき、処理部４４は、第２電圧出力回路１６から出力されている制御電圧値ＶＷＤＣ＿Ｗ２をＡＤコンバータ（図示しない）を用いて取得する。
【００６６】
続いて、ＥＦＭＧ信号を“Ｌレベル”とし、第２電圧出力回路１６の制御をＡＣＣ回路３４による定電流制御に切り替える。処理部４４は、ＡＤコンバータ（図示しない）によって第２電圧出力回路１６から出力される制御電圧を読み取りながら、その制御電圧が電圧値ＶＷＤＣ＿Ｗ２となるようにＤＡ回路３８の設定値を調整する。調整後のＤＡ回路３８の設定値が従来のＷＤＡＣ３信号となる。
【００６７】
以上のように求められたＷＤＡＣ３信号をデータの再生を行うフレームが終了する前にＤＡ回路３８に設定すると、第２電圧出力回路１６の制御がＡＣＣ回路３４からＡＰＣ回路３２に切り替えられる前に第２電圧出力回路１６の制御電圧をＷＤＡＣ３信号に対応する電圧値まで予備的に昇圧しておくことができる。このときの第２電圧出力回路１６からの制御電圧はデータの消去に適した制御電圧ＶＷＤＣ＿Ｗ２と等しい値となる。データの再生時からデータの消去時及び記録時への移行に伴うレーザダイオード１０の出力の変動を低減し、データの記録品位の低下を抑制すると共に、光ディスク装置のサーボ制御の破綻を防ぐことができる。
【００６８】
＜ライトパワーＰＷＲの設定方法＞
ライトパワーＰＷＲを規定する減衰率ＡＴＴの設定方法について説明する。以下においても、ＬＤＯＮ信号は“Ｌレベル”とし、スイッチＳＷ３が開かれた状態で処理を行う。
【００６９】
まず、ＥＦＭＧ信号を“Ｈレベル”に設定して第２電圧出力回路１６とＡＰＣ回路３２とを接続すると共に、ＥＮＤＥＣ４２によってＰＥＯ信号を“Ｈレベル”に設定してスイッチＳＷ４を閉じる。このとき、ＰＷＯ信号は“Ｌレベル”に設定し、スイッチＳＷ５は開放状態とする。
【００７０】
この状態で、処理部４４からＤＡ回路３６に対して信号を出力し、ＡＰＣ回路３２及びＳ／Ｈ回路４０によってＦＭＤ回路４８で読み取られるレーザダイオード１０の出力がディスクへのデータの記録に用いられる中間のパワー７ｍＷとなるように調整を行う。このとき、ＤＡ回路３６に設定される信号値をＷＤＡＣ＿７として処理部４４に記憶する。
【００７１】
レーザダイオード１０を駆動する第２電圧出力回路１６からの制御電圧とレーザーダイオード１０の出力とは原点０を通る比例関係にあるので、レーザダイオード１０の出力が７ｍＷとなるときのＤＡ回路３６の設定値ＷＤＡＣ＿７に基づいてイレースパワーＰＥＲの下限値４ｍＷ及び上限値１０ｍＷでのＤＡ回路３６の設定値ＷＤＡＣ＿４及びＷＤＡＣ＿１０とをそれぞれ算出する。
【００７２】
次に、ディスクのＡＴＩＰから固有の出力比εを読み出す。この出力比εを用いて、イレースパワーＰＥＲとして下限値４ｍＷ、中間値７ｍＷ及び上限値１０ｍＷが設定されているときのライトパワーＰＷＲの目標出力パワーを算出する。
【００７３】
記録ストラテジによって異なるが、実験に基づいて例えば数式（３）による演算を行うことによってライトパワーＰＷＲの目標出力パワーを算出することができる。
【００７４】
【数３】
2004318996.tif 000005
但し、ｘは出力比εを％に変換したものであり、ｙは目標出力パワーである。
【００７５】
次に、ＥＮＤＥＣ４２によってＰＥＯ信号を“Ｌレベル”に設定してスイッチＳＷ４を開放すると共に、ＰＷＯ信号を“Ｈレベル”に設定してスイッチＳＷ５を閉じる。ＤＡ回路３８には、設定値ＷＤＡＣ＿４，ＷＤＡＣ＿７及びＷＤＡＣ＿１０を順に設定して、ＦＭＤ回路４８を用いてレーザダイオード１０の実際の出力を測定出力パワーとして取得する。
【００７６】
処理部４４は、ＤＡ回路３８への設定値毎に目標出力パワーと測定出力パワーとの比較を行い、これらが一致するまでＡＴＴ回路２０の減衰率ＡＴＴを調整する。設定値毎に目標出力パワーと測定出力パワーとが一致すると、その時点の減衰率ＡＴＴが処理部４４に記憶される。例えば、ＤＡ回路３８に設定値ＷＤＡＣ＿４を設定した場合、目標出力パワーと測定出力パワーとが一致した時点の減衰率がＡＴＴ（４）として記憶される。同様に、設定値ＷＤＡＣ＿７及びＷＤＡＣ＿１０に対する減衰率がＡＴＴ（７）及びＡＴＴ（１０）として記憶される。
【００７７】
このようにして、所定の出力比εにおけるイレースパワーＰＥＲ４ｍＷ，７ｍＷ及び１０ｍＷに対する適切な減衰率ＡＴＴが調整される。イレースパワーＰＥＲに対して減衰率ＡＴＴは、図４に破線で示すように、２次曲線となるが、図４に実線で示すように、任意のイレースパワーＰＥＲに対する適切な減衰率ＡＴＴを数式（４）又は（５）を用いて直線近似により算出することができる。
【００７８】
【数４】
2004318996.tif 000006
【００７９】
ここで、数式（４）はイレースパワーＰＥＲが４ｍＷ〜７ｍＷにある場合、数式（５）はイレースパワーＰＥＲが７ｍＷ〜１０ｍＷにある場合に使用する。
【００８０】
すなわち、個々のディスクに対するデータの記録に適した出力比εが定められると、その出力比εにおける任意のイレースパワーＰＥＲに対する減衰率ＡＴＴを設定することができる。このように、減衰率ＡＴＴをイレースパワーＰＥＲの設定値に応じて変化させることによって、イレースパワーＰＥＲによらず一定のライトパワーＰＷＲでデータの記録を行うことが可能となる。
【００８１】
このように、イレースパワーＰＥＲの変更範囲における下限値、中間値及び上限値に対する減衰率ＡＴＴを一旦求めておくことによって、その後は上記数式（４）及び数式（５）を用いて任意のイレースパワーＰＥＲに対する適切な減衰率ＡＴＴを算術的に求めることができるため、出力比εの調整に用いられるデータ量を低減でき、調整時間も短縮することができる。
【００８２】
また、本実施の形態では出力比εの調整をＡＴＴ回路２０の減衰率ＡＴＴを用いて行っているが、増幅器１８の増幅率を用いて調整しても良い。さらに、減衰率ＡＴＴ及び増幅率の両方を用いて調整しても良い。
【００８３】
なお、本発明の光ディスク装置及び光ディスクの制御方法は、上記実施の形態に限定されるものではなく、本発明の要旨を逸脱しない範囲内において変更を加えた態様とすることができる。
【００８４】
【発明の効果】
本発明によれば、光ディスク装置においてデータの再生時からデータの消去又は記録時に移行する際のレーザダイオードの異常な出力を防ぐことができる。その結果、例えば、データの記録品質の低下を防ぐことができ、光ディスク装置のサーボ破綻を抑制することができる。
【図面の簡単な説明】
【図１】光ディスク装置の構成を示すブロック図である。
【図２】光ディスク装置のＬＤドライバの構成を示す図である。
【図３】本発明の実施の形態における光ディスク装置の制御のタイミングチャートを示す図である。
【図４】本発明の実施の形態におけるＤＡ回路の設定値の取得方法を説明する図である。
【図５】従来の光ディスク装置の制御におけるタイミングチャートを示す図である。
【図６】従来のＤＡ回路の設定値の取得方法を説明する図である。
【符号の説明】
１０  レーザダイオード、１２  ＬＤドライバ、１４  第１電圧出力回路、１６  第２電圧出力回路、１８  増幅器、２０  減衰回路（ＡＴＴ回路）、２６，２８，３６，３８  デジタル／アナログ変換回路（ＤＡ回路）、２２，３２  定電力制御回路（ＡＰＣ回路）、２４，３４  定電流制御回路（ＡＣＣ回路）、３０，４０  サンプル／ホールド回路（Ｓ／Ｈ回路）、４２  ＥＮＤＥＣ、４４  処理部、４６  切替タイミング回路、４８  ＦＭＤ回路、５０  第１電流源、５２  第２電流源、５４  第３電流源、６０  温度測定回路。
【図１】
2004318996.tif 000007
【図２】
2004318996.tif 000008
【図３】
2004318996.tif 000009
【図４】
2004318996.tif 000010
【図５】
2004318996.tif 000011
【図６】
2004318996.tif 000012